(57)【要約】【課題】それまでのユーザの居た環境を反映した動作条件で空気調整装置を動作させること。【解決手段】ネットワークを介して、情報を受信する通信端末と、通信端末により受信された前記情報を近距離無線通信によって、受信可能な空気調整装置とを有するシステムであって、空気調整装置は、近距離無線通信装置によって受信した情報に基づいて、通信端末のユーザが居た環境に応じた動作に制御する制御部を有する。【選択図】図４
2015175552.tif 000002
【特許請求の範囲】
【請求項１】
ネットワークを介して情報を受信する通信端末と、近距離無線通信によって前記通信端末により送信される前記情報を受信可能な空気調整装置とを有する空気清浄システムであって、
前記空気調整装置は、
前記近距離無線通信によって受信した情報に基づいて、前記通信端末のユーザが居た環境に応じて、動作条件を設定する制御部
を有する、空気清浄システム。
【請求項２】
前記情報は、天気、気温、降水確率、湿度、花粉、黄砂警報、PM 2.5の警報に関する情報を少なくとも１つである、請求項１に記載の空気清浄システム。
【請求項３】
前記空気調整装置は、気象情報により得られる複数の情報の値の組み合わせと、動作条件とを紐付けた動作条件設定テーブル
を有し、
前記制御部は、前記近距離無線通信によって受信した情報に基づいて、前記動作条件設定テーブルのうち、該当する複数の情報の値の組み合わせに紐付けられた動作条件に設定する、請求項１又は２に記載の空気清浄システム。
【請求項４】
前記制御部は、空気が所定の状態となった場合、自動運転に切り換える、請求項１ないし３のいずれか１項に記載の空気清浄システム。
【請求項５】
近距離無線通信によって通信端末から送信される情報を受信可能な空気調整装置であって、
前記情報を受信する受信部と、
前記受信部で受信した前記情報を記憶する記憶部と、
前記記憶部に記憶された前記情報に基づいて、前記通信端末のユーザが居た環境に応じて動作条件を設定する制御部と
を有する、空気調整装置。
【請求項６】
ネットワークを介して情報を受信する通信端末と、近距離無線通信によって前記通信端末により受信された前記情報を受信可能な空気調整装置とを有する空気清浄システムによって実行される空気清浄方法であって、
前記空気調整装置は、
前記通信端末から、前記近距離無線通信によって情報を受信し、
前記情報に基づいて、前記通信端末のユーザが居た環境に応じた動作に制御する、
空気清浄方法。
【発明の詳細な説明】
【技術分野】
【０００１】
本発明は、空気調整装置を制御するシステムに関する。
【背景技術】
【０００２】
スマートフォンなどの携帯電話が世の中で急速に普及している。
【０００３】
以前は、気象情報を取得する際には、携帯電話で気象情報を配信する事業者が提供するコンテンツにアクセスし、全国の気象情報からユーザが所望する地域の気象情報を取得していた。しかし、スマートフォンには最初からGPS機能が搭載され、GPS機能により取得される位置情報をもとにユーザが現在いるエリアに関する気象情報の取得が容易になっている。したがって、スマートフォンはその利便性からユーザにとって必需品となりつつある。
【０００４】
一方、空気清浄機は高機能化が進み、様々なシーンに応じて細かな制御が可能となっている。具体的には、空気清浄機に搭載されているセンサの値に基づいて、加湿、除湿、空気清浄など様々な動作が可能である。
【０００５】
外部に設けられた機器により、室内調和機に入力される疑似環境により室内環境を設定できる技術が知られている（例えば、特許文献１参照）。
【発明の概要】
【発明が解決しようとする課題】
【０００６】
例えば、屋外から帰宅したユーザが空気調整装置を起動した場合に、空気調整装置がユーザの望むようには動作しない場合がある。
【０００７】
空気調整装置は、その空気調整装置に搭載されるセンサによって屋内の環境を検知し、その屋内の環境に応じて最適な環境になるように、動作条件を設定する。しかし、その動作条件には、それまで屋外にいたユーザの状況は必ずしも反映されているとはいえない。
【０００８】
本発明は、それまでのユーザの居た環境を反映した動作条件で空気調整装置を動作させることを目的とする。
【課題を解決するための手段】
【０００９】
開示の空気調整システムは、
ネットワークを介して情報を受信する通信端末と、近距離無線通信によって前記通信端末により送信される前記情報を受信可能な空気調整装置とを有する空気調整システムであって、
前記空気調整装置は、
前記近距離無線通信によって受信した情報に基づいて、前記通信端末のユーザが居た環境に応じて、動作条件を設定する制御部
を有する。
【発明の効果】
【００１０】
開示の実施例によれば、それまでのユーザの居た環境を反映した動作条件で空気調整装置を動作させることができる。
【図面の簡単な説明】
【００１１】
【図１】本発明の一実施形態に係る空気調整システムの概略図である。
【図２】本発明の一実施形態に係る空気調整装置のハードウェア構成図である。
【図３】空気調整装置の操作パネルの一例を示す図である。
【図４】本発明の一実施形態に係る空気調整装置の機能ブロック図である。
【図５】本発明の一実施形態に係る通信端末を示す図である。
【図６】本発明の一実施形態に係る通信端末を示す図である。
【図７】本発明の一実施形態に係る通信端末を示す機能ブロック図である。
【図８】本発明の一実施形態に係る空気調整システムの構成を示す図である。
【図９】本発明の一実施形態に係る空気調整システムの動作を示すシーケンスチャートである。
【図１０】本発明の一実施形態に係る条件設定テーブルの一例を示す図である。
【発明を実施するための形態】
【００１２】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１３】
＜システム＞
図１は、システムの一実施例を示す。
【００１４】
システムは、空気調整装置１００と、該空気調整装置１００と無線通信可能である通信端末２００とを備える。
【００１５】
空気調整装置１００は、主に室内に設置され、空気中に浮遊する粉塵や花粉、ハウスダストなどの細かい粒子や、ペットや調理によって発する臭いなどの臭気を取り除くことによって、室内の空気を清浄する。さらに、空気調整装置１００は、加湿機能、除湿機能を有することにより、室内の湿度を調整する。
【００１６】
通信端末２００は、一般の携帯電話機を適用でき、空気調整装置１００と無線通信を行うことによって、所定の情報を通知し、空気調整装置１００に動作条件を設定させる。
【００１７】
＜空気調整装置１００＞
図１、図２は、空気調整装置１００の一実施例を示す。図１は空気調整装置１００の斜視図を示す。さらに、図１には、空気調整装置１００について説明するために、上方向（上）、下方向（下）、左方向（左）、右方向（右）、前方向（前）、後方向（後）が示される。図２は、図１に示す空気調整装置１００を左方向からの内部図を示す。さらに、図２には、空気調整装置１００について説明するために、上方向（上）、下方向（下）、前方向（前）、後方向（後）が示される。
【００１８】
空気調整装置１００の筐体は、主部筐体ケース１０２と、前部筐体ケース１０４と、前面パネル１０６とから構成される。前部筐体ケース１０４に対して、前面パネル１０６が前方向に移動することにより、前部筐体ケース１０４と前面パネル１０６との間にクリアランス（間隙）ａが上方向、下方向、左方向、右方向に設けられる。このクリアランスａを通じて、室内の空気が空気調整装置１００に吸入される。
【００１９】
主部筐体ケース１０２の上部には、主部筐体ケース１０２の排出口ｂの開閉を担う蓋開閉蓋であるフラップ（ルーバー）１１０が回転自在に軸支されている。空気調整装置１００が運転中である場合には、フラップ１１０が開状態に制御されることにより、主部筐体ケース１０２の排出口ｂが開口され、清浄にされた空気が排出される。
【００２０】
フラップ１１０は、０度（水平）から９０度（垂直）の範囲で回動可能であり、より好ましくはフラップ１１０は、０度（水平）から８５度（略垂直）の範囲で回動可能であってもよい。フラップ１１０が０度のときは風向は前方向となり、フラップ１１０が９０度又は８５度のときは風向は上方向となる。
【００２１】
主部筐体ケース１０２の上部の排出口ｂは分割されて、外側に露出したねじなどの固定具により固定されて一体化されている。このねじを外して排出口ｂを取り外すことにより、排出口ｂの開閉を担う蓋開閉蓋であるフラップ１１０と、フラップ開閉用モータ（図示なし）、駆動リンク（図示なし）、従動リンク（図示なし）を保持するフレーム（図示なし）からなるユニットとして、容易に取り外し、取り付けができる。
【００２２】
この構造により、モータとリンク部品とを別ユニット化できるので組み立て作業が容易にできる。また、フラップ１１０が故障した場合においても、排出口ｂの部分を取り外せばユニットの点検や交換ができる。
【００２３】
図２を参照して説明を続ける。
【００２４】
空気調整装置１００の筐体の内部には、ファンモータ１１２と、気化フィルタユニット１１４と、ファンケーシング１１６と、水タンク１１８と、デシカントロータ１２０と、凝縮器１２２と、フィルタユニット１２４とが搭載される。
【００２５】
ファンモータ１１２が動作することにより、クリアランスａを通じて、室内の空気が吸入され、その室内の空気は、フィルタユニット１２４を通過することによって集塵や脱臭が行われることによりろ過される。水タンク１１８には、室内の空気を加湿するための水が貯留される。フィルタユニット１２４を通過することによって清浄にされた空気は、水タンク１１８から汲み上げられた水により気化フィルタユニット１１４で加湿される。また、フィルタユニット１２４を通過することによって清浄にされた空気は、除湿用のデシカントロータ１２０によって水分が吸い取られる。
【００２６】
デシカントロータ１２０によって吸収された水分は、ヒータ（図示なし）によって加熱された空気によって気化される。また、凝縮器１２２は、デシカントロータ１２０によって吸収され、気化された水分を含む空気から、その水分を凝縮する。
【００２７】
ファンケーシング１１６は、渦巻状であり、ファンモータ１１２の遠心ファンの周りを囲うとともに、上部の排出口ｂに向かって遠心ファン外周との間隙が拡がって形成され、清浄にされた空気を排出する。
【００２８】
空気調整装置１００は、空気を清浄する空気清浄モードと、室内の湿度を高くする加湿モードと、室内の湿度を下げる除湿モードと、臭いの元となる物質を分解や吸着等の方法により除去する脱臭モードとを有する。
【００２９】
空気調整装置１００が操作されることにより空気清浄モードが選択された場合には、フラップ１１０が徐々に開き、最終的には全開状態（例えば、開角８５度−９０度）となる。フラップ１１０が全開状態となることにより、空気調整装置１００の排出口ｂから上方向に清浄な空気が排出される。
【００３０】
空気調整装置１００が操作されることにより、加湿機能が働く加湿モード若しくは肌保湿モードが選択された場合には、フラップ１１０は、開角４５度の状態となり、空気調整装置１００の排出口ｂから前斜め方向に空気が排出される。空気調整装置１００の排出口ｂから前斜め方向に空気が送風されることにより、室内中央部へ加湿された清浄な空気が供給される。
【００３１】
空気調整装置１００が操作されることにより、除湿機能が働く除湿モードが選択された場合には、フラップ１１０は、開角４５度の状態となり、空気調整装置１００の排出口ｂから前斜め方向に空気が排出される。空気調整装置１００の排出口ｂから前斜め方向に空気が送風されることにより、室内中央部へ除湿された清浄な空気が供給される。
【００３２】
空気調整装置１００が操作されることにより脱臭モードが選択された場合には、フラップ１１０が徐々に開き、最終的には全開状態（例えば、開角８５度−９０度）となる。フラップ１１０が全開状態となることにより、空気調整装置１００の排出口ｂの通風抵抗を減少させ大風量運転を可能とし、上方向に送風することにより、室内空気の循環を促して空気調整装置１００の対辺空気を導いて室内空間全体の脱臭処理を促進する。強脱臭モードのフラップ１１０の開角は、空気清浄モードのフラップ１１０の開角と同一である。
【００３３】
図３は、空気調整装置１００の操作パネル１０８の一実施例を示す。
【００３４】
操作パネル１０８には、電源入／切ボタン５１と、風量切換ボタン５２ａと、ｅｃｏ運転ボタン５２ｂと、セルフ乾燥ボタン５２ｃと、スイングボタン５２ｄと、タイマーボタン５２ｅと、リセットボタン５２ｆと、まかせてスタートボタン５３と、除湿空清ボタン５４と、加湿空清ボタン５５と、空清ボタン５６とが設けられる。図３に示されるのは一例であり、図３に示されるボタン以外のボタンが操作パネル１０８に設けられてもよいし、図３に示されるボタンの一部のボタンが操作パネル１０８に設けられてもよい。
【００３５】
さらに、操作パネル１０８にはクリーンモニタ５２ｇが配置され、クリーンモニタ５２ｇによって空気の汚れ具合が監視される。クリーンモニタ５２ｇはＬＥＤ(Light Emitting Diode)によって構成され、空気がきれいな場合は青色のＬＥＤが点灯し、空気が汚れている場合は赤色のＬＥＤが点灯する。
【００３６】
風量切換ボタン５２ａは、排出口ｂから排出される空気の量（風量）を調整するためのものである。風量切換ボタン５２ａの上部には、風量が自動的に調節される場合に点灯又は点滅する「自動」、花粉を除去するように動作する場合に点灯又は点滅する「花粉」、風量の大きさを表し、該当するものが点灯又は点滅する「静」、「弱」、「中」、「強」を表す記号が設けられる。例えば、風量の大きさを表す表示で「強」が点滅する場合には、強風よりも強い風量である「ターボ」モードであるようにしてもよい。ファンモータ回転モードとして、「静」、「弱」、「中」、「強」、「ターボ」が用意され、風量の強さは、「静」、「弱」、「中」、「強」、「ターボ」の順に強くなり、ファンモータ１１２の回転数や消費電力，運転音もそれに応じて増加する。
【００３７】
ファンモータ回転モードが「弱」である場合が最も少ない回転数で回転するモードであり、ファンモータ回転モードが「ターボ」である場合が最も高い回転数で回転するモードである。例えば、空清運転において、風量が「静」である場合には風量０.６ｍ3／分、消費電力４.５Ｗ、運転音１５ｄＢであり、風量が「弱」である場合には風量１.５ｍ3／分、消費電力５.５Ｗ、運転音２４ｄＢであり、風量が「中」である場合には風量２.８ｍ3／分、消費電力１０Ｗ、運転音３５ｄＢであり、風量が「強」である場合には風量４.２ｍ3／分、消費電力１７Ｗ、運転音４３ｄＢであり、風量が「ターボ」である場合には風量７.５ｍ3／分、消費電力５０Ｗ、運転音５１ｄＢである。
【００３８】
また、各運転モードに応じて指定できる風量は異なる。例えば、空気清浄モードでは、「自動」、「花粉」、風量を「静」、「中」、「強」、「ターボ」からを選ぶことができ、風量切換ボタン５２ａを押し下げする度に切り替わる。加湿モードでは、「自動」、風量を「弱」、「中」、「強」、「ターボ」から選ぶことができる。除湿モードでは、「自動」、風量を「中」、「強」、「ターボ」から選ぶことができる。セルフ乾燥モードでは、自動で運転しており、風量切換ボタン５２ａを押下しても受け付けない。
【００３９】
ｅｃｏ運転ボタン５２ｂは、空気調整装置１００を省電力で動作させるためのものである。ｅｃｏ運転ボタン５２ｂの上部にはｅｃｏ運転の状態を示す表示があり、省電力で動作する場合には、点灯する。
【００４０】
セルフ乾燥ボタン５２ｃは、空気調整装置１００にセルフ乾燥運転させるためのものである。セルフ乾燥ボタン５２ｃの上部にはセルフ乾燥運転の状態を示す表示があり、セルフ乾燥運転する場合には点灯するようになっている。
【００４１】
タイマーボタン５２ｅは、予め設定した時間の間運転させるものである。タイマーボタン５２ｅの上部には「２」、「４」などの運転を継続させる時間を示す表示があり、該当するものがそれぞれ点灯する。
【００４２】
リセットボタン５２ｆは、空気調整装置１００の動作をリセットするためのものである。
【００４３】
リセットボタン５２ｆとタイマーボタン５２ｅとの間には、水タンク１１８の水量の状態が表示される。水量の状態として、「満水」、「給水」、「タンクなし」の表示があり、該当するものが点灯する。
【００４４】
リセットボタン５２ｆとタイマーボタン５２ｅとの間には、加湿フィルタの状態が表示される。加湿フィルタの状態として、「お手入れ」、「水交換」の表示があり、該当するものが点灯する。
【００４５】
空清ボタン５６は、空気調整装置１００に空気を清浄させるためのものである。空清ボタン５６の上部には「空清」の表示があり、空気調整装置１００に空気を清浄させる場合には、点灯又は点滅する。
【００４６】
加湿空清ボタン５５は、空気調整装置１００に加湿させるとともに、空気清浄させるためのものである。加湿空清ボタン５５の上部には、「加湿」の表示があり、空気調整装置１００に加湿させるとともに、空気清浄させる場合には、点灯又は点滅する。
【００４７】
除湿空清ボタン５４は、空気調整装置１００に除湿させるとともに、空気清浄させるためのものである。除湿空清ボタン５４の上部には、「除湿」の表示があり、空気調整装置１００に除湿させるとともに、空気清浄させる場合には、点灯又は点滅する。
【００４８】
まかせてスタートボタン５３は、空気調整装置１００に自動運転させるためのものである。まかせてスタートボタン５３の上部には、まかせてスタート運転の状態を示す表示があり、空気調整装置１００に自動運転させる場合には、点灯する。
【００４９】
セルフ乾燥ボタン５２ｃ、スイングボタン５２ｄ、及びタイマーボタン５２ｅの上部には湿度モニターとして、「３０」（％）、「４０」（％）、「５０」（％）、「６０」（％）、「７０」（％）という表示があり、該当するものがそれぞれ点灯する。
【００５０】
さらに、操作パネル１０８には、モバイル非接触ＩＣ通信マーク５７が設けられる。モバイル非接触ＩＣ通信マーク５７にスマートフォンなどの通信端末２００をかざすと、通信端末２００に格納された情報が空気調整装置１００へ送信される。操作パネル１０８のモバイル非接触ＩＣ通信マーク５７の下には、通信端末２００によって送信された情報を受信する受信機（受信部）が内蔵される。
【００５１】
空気調整装置１００の一実施例において、各ボタンの上部の表示の点灯又は点滅は、ＬＥＤよりおこなわれるが、ＬＥＤに限らず、電球、電灯などの周りから目立つように表示できるものを適用できる。
【００５２】
電源切／入ボタン５１は、空気調整装置１００の電源をオン又はオフするためのものである。電源切／入ボタン５１を押し下げることにより、空気調整装置１００の電源がオンにされる。 
風量切換ボタン５２ａを押し下げることにより、ファンモータ１１２の回転数を上昇させて風量を増加させたり、ファンモータ１１２の回転数を下降させて風量を減少させたりできる。 ユーザは、風量の変化を自動表示の点灯や花粉表示の点灯や風量の強弱を示す表示の点灯により確認できる。
【００５３】
以下、各運転モードについて詳細に説明する。
【００５４】
（空気清浄モード）
空気清浄モードが選択されると、空清ボタン５６上部の空気清浄表示が点灯し、ファンモータ１１２とフラップ１１０が稼働する。空気清浄モードでは、ダストセンサ（図示なし）と臭いセンサ（図示なし）により検知される部屋の空気の状態に合わせて、自動でファンモータ１１２によって風量が調整され、集塵、及び脱臭が行われる。
【００５５】
空気清浄モードが選択されると、フラップ１１０が徐々に開き、上方向で停止する。さらに、ファンモータ１１２が稼動し、空気がクリアランスａを介して吸い込まれるとともに、フィルタユニット１２４を通して清浄される。清浄にされた空気は、ファンケーシング１１６に案内され、フラップ１１０が開放された排出口ｂから排出される。
【００５６】
空気清浄モードが選択されると、風量ランプの自動が点灯し、臭いセンサとダストセンサで検知した空気の汚れ度合いにより風量が自動的に切り換えられる。空気の汚れ度合いはクリーンモニタに表示される。
【００５７】
空気清浄モードの動作している間に電源入／切ボタン５１が押し下げられることで運転が停止され電源が切れる。電源が切れる場合、全てのランプが消灯し、フラップ１１０が閉じる。
【００５８】
空気清浄モードが選択された時点では、風量は自動に設定される。風量が自動に設定された場合には、最初の３分間は風量「中」で運転し、その後は空気の汚れ度合いにより風量が切り替わる。上述したように、空気清浄モードで自動運転している場合の風量の範囲は、「静」、「弱」、「中」、「強」である。好みにより風量を変更したい場合は、風量切換ボタン５２ａにより切り換えることができる。風量切換ボタン５２ａにより切り換えることができる風量のなかでも、「花粉」風量は空気清浄モードの場合に選ぶことができる。「花粉」風量ではダストセンサと臭いセンサで検知した空気の汚れ度合いにより風量が自動的に「静」、「弱」、「中」の範囲で切り替わる。
【００５９】
（加湿モード）
操作パネル１０８の加湿空清ボタン５５が押し下げられることによって、加湿モードが選択される。加湿モードが選択されると、加湿空清ボタン５５の上部の加湿表示が点灯するとともに、ファンモータ１１２とフラップ１１０とポンプ（図示なし）が稼動する。加湿モードでは、清浄された空気によって加湿し、乾燥した部屋の湿度を高める。
【００６０】
空気清浄モードに加湿機能が付加された場合、ポンプ継ぎ手ユニット（図示なし）のポンプ（図示なし）が稼働状態になり、気化フィルタユニット１１４の給水トレイ（図示なし）に給水し、気化フィルタ（図示なし）に給水トレイの水を含ませ、気化フィルタユニット１１４を通って清浄にした空気を気化フィルタを通流させることによって加湿してフラップ１１０が開放された排出口ｂから排出できる。つまり、加湿モードではヒータを使わない気化式を用いる。
【００６１】
加湿モードで運転している場合に電源入／切ボタン５１が押し下げられることによって運転が停止し、電源が切れる。電源が切れた場合、全てのランプが消灯し、フラップ１１０が閉じる。
【００６２】
加湿モードが選択された時点では、風量は自動となる。風量が自動である場合は、最初の３分間は「強」で運転し、その後は空気の汚れ度合いにより風量が切り替わる。加湿モードで自動運転が行われている場合の風量範囲は「静」「弱」「中」「強」である。好みにより風量を変更したい場合は、風量切換ボタン５２ａにより切り換えることができる。
【００６３】
（除湿モード）
操作パネル１０８の除湿空清ボタン５４が１秒以上押し下げられることにより、除湿モードが選択される。
【００６４】
除湿モードが選択されると、除湿空清ボタン５４の上部の除湿表示が点灯し、ファンモータ１１２とフラップ１１０が稼動する。除湿モードでは、空気を除湿し、乾いたきれいな空気が部屋に送られる。除湿モードでは、低温でも除湿力が安定するデシカント式が用いられる。
【００６５】
除湿ユニットのデシカントロータ１２０が稼働するとともに、ファンケーシング１１６内の除湿ファン（図示せず）が稼働し、ヒータケース（図示なし）に覆われるヒータに通電され、フィルタユニット１２４を通って清浄にされた空気がデシカントロータ１２０で水分が吸い取られることによって除湿が行われ、フラップ１１０が開放された排出口ｂから排出される。
【００６６】
除湿モードで運転が行われている場合に電源入／切ボタン５１が押し下げられることで運転が停止され電源が切れる。電源が切れる場合、全てのランプが消灯し、フラップ１１０が閉じる。
【００６７】
除湿モードが選択された時点では風量は自動となる。風量が自動である場合は最初の３分間は「強」で運転し、その後は空気の汚れ度合いにより風量が切り替わる。除湿モードの自動運転時の風量範囲は「静」「弱」「中」「強」である。好みにより風量を変更したい場合は、風量切換ボタン５２ａにより切り換えることができる。 
（脱臭モード）
脱臭モードが選択されると、空清ボタン５６の上部の脱臭表示（図示なし）が点灯し、ファンモータ１１２とフラップ１１０が稼動する。
【００６８】
脱臭モードでは、最初の１分間の間はターボ運転を行い、その後も臭いセンサによって臭いを検知するとファンモータ１１２によって風量を高めた運転を行うことで、すばやく脱臭する。フラップ１１０は徐々に開き、上方向で停止する。
【００６９】
臭いセンサで検知される臭いの感度を空気清浄モードよりも敏感にするとともに、ダストセンサで検知されるダストの感度を空気清浄モードよりも鈍感にし、空気の臭いに敏感に空気清浄モードを稼働させることができる。脱臭モード時に電源入／切ボタン５１を押下することで運転が停止され電源が切れる。その場合、全てのランプが消灯し、フラップ１１０が閉じる。
【００７０】
脱臭モードを選択した時点では風量は自動となる。 風量自動の場合は最初の１分間は「ターボ」で運転し、その後は空気の汚れ度合いにより風量が切り替わる。脱臭モードで自動運転が行われている場合の風量範囲は、「弱」、「中」、「強」、「ターボ」である。好みにより風量を変更したい場合は、風量切換ボタン５２ａにより切り換えることができる。 
＜空気調整装置１００の機能＞
図４は、空気調整装置１００の一実施例を示す機能ブロック図である。
【００７１】
空気調整装置１００は、制御部４００と、検知部４０６と、報知部４１２と、送風機４１４と、加湿ユニット４２０と、除湿ユニット４２６とを有する。さらに、送風機４１４は、モータ４１６、及びファン４１８から構成され、加湿ユニット４２０は、モータ４２２、及び加湿ロータ４２４から構成され、除湿ユニット４２６は、モータ４２８、及び気化フィルタ４３０から構成される。検知部４０６は、検知素子４０８と、受信機４１０を備える。
【００７２】
制御部４００は、ＣＰＵなどの複数の電子部品によって実現され、空気清浄運転や加湿運転が行われるように、空気調整装置１００の備える各種機器の動作を制御する。具体的には、制御部４００は、操作パネル１０８を介して入力される制御信号に基づいて、ファン４１８、加湿ロータ４２４、気化フィルタ４３０の駆動を制御する。
【００７３】
制御部４００は、判断部４０２と、駆動制御部４０４を備えている。判断部４０２は、検知部４０６の検知素子４０８から送信されるオン信号又はオフ信号に基づいて、ユーザに対して給水すべき給水必要状態であることを報知するか否かを判断する。判断部４０２は、給水必要状態を報知すると判断する場合、加湿運転を開始するとき（加湿運転の開始から所定時間（例えば１分）が経過するまで）と、加湿運転中（加湿運転開始から所定時間が経過した後）で、異なる判断を行う。具体的には、加湿運転を開始するときには、判断部４０２は、検知部４０６の検知素子４０８からのオフ信号が第１判断時間Ｔ１（例えば２０秒）継続した場合に、給水必要状態を報知すると判断する。一方、加湿運転を開始してから所定時間が経過した後の加湿運転中（以下、「所定時間経過後の加湿運転中」という）には、判断部４０２は、検知部４０６の検知素子４０８からのオフ信号が第１判断時間Ｔ１よりも長い第２判断時間Ｔ２（例えば５分）継続した場合に、給水必要状態を報知すると判断する。このように、判断部４０２は、所定時間経過後の加湿運転中において、加湿運転を開始するときと比べて、検知部４０６からのオフ信号が長い時間だけ継続した場合に、給水必要状態を報知すると判断する。
【００７４】
また、判断部４０２は、給水必要状態の報知を解除すると判断する場合、加湿運転を開始するときと、所定時間経過後の加湿運転中で、同一の判断を行う。具体的には、加湿運転を開始するとき及び所定時間経過後の加湿運転中において、判断部４０２は、検知部４０６の検知素子４０８からのオン信号が第３判断時間Ｔ３（例えば２０秒）だけ継続した場合に、給水必要状態の報知を解除すると判断する。
【００７５】
また、判断部４０２は、動作条件設定テーブルを参照し、検知部４０６の受信機４１０によって受信された気象情報に基づいて、駆動制御部４０４に動作条件を設定する。動作条件設定テーブルについては後述する。
【００７６】
駆動制御部４０４は、判断部４０２により設定される動作条件に基づいて、空気調整装置１００において空気清浄運転や加湿運転が行われるように、送風機４１４（ファン４１８）、加湿ユニット４２０（加湿ロータ４２４）、及び除湿ユニット４２６（気化フィルタ４３０）の駆動を制御する。具体的には、駆動制御部４０４は、送風機４１４、加湿ユニット４２０、及び除湿ユニット４２６を動作させる際に送風機４１４のモータ４１６、加湿ユニット４２０のモータ４２２、及び除湿ユニット４２６のモータ４２８にそれぞれ制御信号を送信することで、ファン４１８、加湿ロータ４２４、及び気化フィルタ４３０の駆動を制御する。
【００７７】
また、駆動制御部４０４は、ユーザに給水が必要になった状態であることを報知する報知部４１２を制御する。なお、検知部４０６は、複数あってもよい。検知部４０６が複数である場合、その１つがICカードなどの外部の装置と情報を送受信できるリーダ、ライタであってもよい。
【００７８】
＜通信端末２００＞
図５は、通信端末２００の一実施例を示す。図５は通信端末２００の概略外観図を示し、（Ａ）は表面図、（Ｂ）は裏面図である。
【００７９】
通信端末２００は、上部筐体５０２と、下部筐体５０４と、上部筐体５０２及び下部筐体５０４を回動可能に接続するヒンジ部５０６から構成される。上部筐体５０２が下部筐体５０４に対して相対的に±１８０°回転する、いわゆる回転型である。
【００８０】
図５の（Ａ）に示すように、通信端末２００の上部筐体５０２を下部筐体５０４に対し相対的に回転させて開いた状態にした場合において、上部筐体５０２には、スピーカ５１０、表示部５１２、及び光センサ５１６が設けられる。この例では、光センサ５１６の形状、及び配置は、上部筐体５０２の短軸方向に沿って長方形とし、表示部５１２の下側に配置したが、この形状、配置に限るものではない。一方、下部筐体５０４にはマイクロフォン５１４が設けられる。
【００８１】
さらに、上部筐体５０２の一部にディスク・ジョグ・ダイヤルや押しボタンが配置されるとともに、下部筐体５０４に押しボタンが複数配置され、操作手段として機能する操作部５０８を構成している。
【００８２】
図５の（Ｂ）に示すように、下部筐体５０４の裏面に、後述するＩＣカード機能部とリーダ／ライタの間で無線信号を送受信するためのＩＣカード用のアンテナ３２が埋設して設けられる。
【００８３】
図６は、図５に示す通信端末２００において、上部筐体５０２を下部筐体５０４に対して回転させることにより、上部筐体５０２を下部筐体５０４に重ねることにより閉じた状態とした場合を示す。
【００８４】
図７は、通信端末２００の一実施例を示す。通信端末２００は、アンテナ１１と、通信回路１２と、音声データ処理部１３と、スピーカ１４と、マイク１５と、表示部１６と、ＣＰＵ１７と、メモリ１８と、照明部１９と、制御部２０と、電源部２１と、アンテナ２２と、ＧＰＳ受信機２３と、操作部２４と、制御ライン２５と、データライン２６と、ＩＣカード機能部３０と、光センサ４１と、電源供給スイッチ４２とを備える。ＩＣカード機能部３０は、データ制御部３１と、アンテナ３２とを有する。
【００８５】
アンテナ１１は、無線電話用の基地局（図示なし）と無線通信を行う際に使用する。通信回路１２は、アンテナ１１と接続され、制御部２０による制御により基地局との間で無線通信を行う。通信回路１２は、通話を行う際には、受信した音声データを音声データ処理部１３へ入力する。また、通信回路１２は、マイク１５が拾って音声データ処理部１３で処理された送信用の音声データを送信する。
【００８６】
表示部１６は、液晶ディスプレイなどの表示装置で構成され、メールの文章、ウェブにアクセスすることにより表示する画面などを表示する。照明部１９は、表示部１６のバックライトである。
【００８７】
ＧＰＳ受信機２３は、ＧＰＳ衛星からの測位信号を受信し、通信端末２００の位置情報を演算する。操作部２４は、操作キーなどで構成され、電話番号やメール文などの入力操作や、各種モード設定などを行う際に使用する。
【００８８】
通信回路１２、表示部１６、ＣＰＵ１７、メモリ１８、照明部１９、ＧＰＳ受信機２３、及び操作部２４は、制御ライン２５を介して、制御部２０と接続されることで、制御部２０からの制御信号により制御できるように構成される。さらに、通信回路１２、表示部１６、ＣＰＵ１７、メモリ１８、照明部１９、ＧＰＳ受信機２３、及び操作部２４は、データライン２６を介して、データ伝送を行うことができ、メモリ１８に必要なデータを格納できるように構成される。
【００８９】
メモリ１８には、通信端末２００として必要なデータに加え、後述するＩＣカード機能部３０で必要とされるデータを記憶する。また、メモリ１８は、通信端末２００のセキュリティ機能を実現するプログラム、そのセキュリティ機能を実現する際に必要なデータ、ネットワークを介してダウンロードしたアプリケーション又は出荷したときにインストールされているアプリケーションを保持する。
【００９０】
通信端末２００の各部を作動させる電源は、電源部２１から供給される。電源部２１の一例は、リチウムイオン電池などの二次電池と、その二次電池の出力を変圧する変圧手段などである。
【００９１】
ＩＣカード機能部３０は、近距離無線通信を行う。アンテナ３２は、ＩＣカードＲＦ信号用のアンテナであり、外部のリーダ／ライタとの間で所定の周波数で電波を送受信する。データ制御部３１は、アンテナ３２と接続され、アンテナ３２で受信される電波に基づいて、外部のリーダ／ライタと近接した状態であると判断した場合に、そのリーダ／ライタと双方向の無線通信を行う。アンテナ３２とリーダ／ライタとの間の無線通信は、例えば、数センチメートル程度の非常に近接した距離で行われる。アンテナ３２とリーダ／ライタとの間で無線通信される電波の周波数は、例えば、１３ＭＨｚ帯である。
【００９２】
データ制御部３１には、メモリ（図示なし）が内蔵され、メモリには、ユーザを識別・認証するコード、通信端末２００のアプリケーションを起動してネットワークから取得した情報などが記憶される。
【００９３】
空気調整装置１００を動作させる際に、必要なデータをデータ制御部３１内のメモリ（又はメモリ１８）から読み出して、リーダ／ライタと近接無線通信でやり取りする。 
また、外部のリーダ／ライタ側からデータ制御部３１内のメモリに書き込ませるデータは、ＩＣカード機能部３０に送信され、ＩＣカード機能部３０は、データ制御部３１内のメモリに記憶したデータを更新する。
【００９４】
ＩＣカード機能部３０は、外部のリーダ／ライタと無線通信を行って、認証などの処理を行う際に、基本的な認証処理については、ＩＣカード機能部３０で処理が完結するようにしてもよいし、制御部２０で一部の機能を分担して実行するようにしてもよい。
【００９５】
光センサ４１は、図６の光センサ５１６によって実現され、ソーラーセル機能を有し、受光した光の光量に応じて、所定の発電量を発電する。光センサ４１で発電した電力は、制御部２０の指示により、電源供給スイッチ４２を介してデータ制御部３１、又は通信端末２００の所定部分に供給される。例えば、光センサ４１により発電した電力を照明部１９の電源として用いることができる。光センサ４１により発電した電力を通信端末２００の所定部分の電力に使用することにより、電源部２１の電力を消費しないで済むため、電源部２１の消費電力を低減できる。また、光センサ４１からの電力を使用して表示部１６のバックライトのオン又はオフ、照度の調節等を行うようにしてもよい。
【００９６】
制御部２０は、アンテナ３２がリーダ／ライタから受信した電磁波の電界強度を取得し、その受信した電磁波から発電できる電力を計算するとともに、光センサ４１で受光した光の光量を取得し、その受光した光から発電できる電力を計算する。そして、制御部２０は、リーダ／ライタから得られる電力がデータ制御部３１を起動するのに必要な電力に達しないと判断した場合、電源供給スイッチ４２をオン状態に切り替え、光センサ４１で発電された電力をデータ制御部３１に供給する。一方、制御部２０は、リーダ／ライタから得られる電力がデータ制御部３１を起動するのに必要な電力に達すると判断した場合、電源供給スイッチ４２をオフ状態に切り替える。さらに、制御部２０は、リーダ／ライタ及び光センサ４１から供給する電力がデータ制御部３１の起動電力に足りない場合であって、且つデータ制御部３１を起動させる必要があるときには、電源部２１から電力を供給するよう切り替える。
【００９７】
＜システムの動作＞
図８は、空気清浄システムとしてのシステムの動作を説明するためのシステム構成の一例を示す。
【００９８】
システムは、空気調整装置１００と、通信端末２００と、サーバ５００とを備える。
【００９９】
サーバ５００は、インターネットなどの通信網５０と接続され、気象情報配信事業者により管理、運営され、気象情報を配信する。
【０１００】
通信端末２００は、基地局３００を経由して、通信網５０と接続されるサーバ５００へアクセスし、サーバ５００から配信される気象情報を取得する。通信端末２００は、サーバ５００から取得した気象情報を空気調整装置１００へ近距離無線通信技術により送信する。
【０１０１】
空気調整装置１００は、通信端末２００から取得した気象情報に基づいて、動作を制御する。
【０１０２】
図９は、システムの動作の一実施例を示すシーケンスチャートである。
【０１０３】
ステップＳ９０２では、通信端末２００は、操作部２４が操作されることにより、電源がオンにされることで起動する。さらに、通信端末２００にインストールされているアプリケーションが起動する。
【０１０４】
ステップＳ９０４では、通信端末２００の操作部２４が操作されることにより、通信回路１２は、アンテナ１１から所定の電波を送信することによって基地局３００を経由して、サーバ５００へアクセスし、サーバ５００との間で通信が確立される。
【０１０５】
ステップＳ９０６では、通信端末２００の操作部２４が操作されることにより、サーバ５００から送信される気象情報が通信回路１２で取得され、その気象情報は、データ制御部３１のメモリ（図示なし）又はメモリ１８に格納される。例えば、ユーザがアプリ上で、地名を入力することなどにより通信端末２００の操作部２４が操作されることにより、その地域の気象情報を取得することができる。また、通信端末２００に搭載されるＧＰＳ受信機２３によって取得される現在地（位置情報）に基づいて、最新の気象情報を取得することもできる。
【０１０６】
ステップＳ９０８では、空気調整装置１００の操作パネル１０８の電源入／切ボタン５１が操作されることにより電源がオンにされる。例えば、ユーザは自宅に帰宅すると空気調整装置１００の電源入／切ボタン５１を押下する。空気調整装置１００の電源がオンになると、操作パネル１０８のモバイル非接触ＩＣ通信マーク５７の下部にあるリーダ／ライタなどの受信機も起動し、通信端末２００から情報を受信できる状態となる。
【０１０７】
ステップＳ９１０では、ユーザが通信端末２００を空気調整装置１００へかざすことにより、空気調整装置１００のモバイル非接触ＩＣ通信マーク５７の下に内蔵された受信機と、通信端末２００のＩＣカード機能部３０との間で近距離無線通信が行われ、通信端末２００から空気調整装置１００へ気象情報が無線送信される。
【０１０８】
ステップＳ９１２では、空気調整装置１００の制御部４００は、通信端末２００から送信された気象情報を記憶部に格納する。
【０１０９】
ステップＳ９１４では、空気調整装置１００の判断部４０２は、気象情報に基づいて、動作条件を設定する。
【０１１０】
図１０は、判断部４０２が動作条件を設定する際に使用する、動作条件設定テーブルの一例である。動作条件設定テーブルには、「季節」、「天気」、「気温」、「降水確率」、「湿度」、「花粉」、「ＰＭ(particulate matter)２．５」、「黄砂（の警報）」などの気象情報により得られる情報の値の組み合わせと、空気調整装置１００の動作条件とが紐付けられることにより対応付けられる。図１０に示される動作条件設定テーブルは一例であり、適宜変更可能である。判断部４０２は、動作条件設定テーブルを参照し、通信端末２００からの気象情報に最も近い条件に紐付けられた動作条件を取得し、駆動制御部４０４へ設定する。これにより、空気調整装置１００は、通信端末２００により取得される最新の気象情報に基づいて、最適な環境となるように動作条件を設定できる。
【０１１１】
ステップＳ９１６は、ステップＳ９１４で設定された動作条件で、駆動制御部４０４は、空気調整装置１００を制御する。
【０１１２】
ステップＳ９１８では、空気調整装置１００の判断部４０２は、センサにより検知されるセンサ値に基づいて、空気が清浄になったことなどの所定の条件を満たすか否かを判定する。空気が所定の条件を満たさない場合、ステップＳ９１６へ戻る。つまり、空気が所定の条件を満たさない場合、判断部４０２は、駆動制御部４０４へ設定した動作条件を変更しない。その結果、空気調整装置１００は、ステップＳ９１４で設定された動作条件で動作し続ける。
【０１１３】
ステップＳ９１８では、ステップＳ９１６で、空気が所定の条件を満たす場合、判断部４０２は、駆動制御部４０４へ自動運転で動作するように設定する。駆動制御部４０４は、判断部４０２によって設定された動作条件で動作する。
【０１１４】
空気調整システムの一実施例によれば、ユーザは通信端末２００により取得し、且つ格納した外部環境の最新の情報に基づいて、空気調整装置を動作させることができる。つまり、ユーザが屋外から帰宅した際に、ユーザが体験していた屋外の環境に応じて、空気調整装置を動作させることができる。
【０１１５】
本発明は特定の実施例を参照しながら説明されてきたが、各実施例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１１６】
１００  空気調整装置
１０２  主部筐体ケース
１０４  前部筐体ケース
１０６  前面パネル
１０８  操作パネル
１１０  フラップ
１１２  ファンモータ
１１４  気化フィルタユニット
１１６  ファンケーシング
１１８  水タンク
１２０  デシカントロータ
１２２  凝縮器
１２４  フィルタユニット
４００  制御部
４０２  判断部
４０４  駆動制御部
４０６  検知部
４０８  検知素子
４１０  受信機
４１２  報知部
４１４  送風機
４１６  モータ
４１８  ファン
４２０  加湿ユニット
４２２  モータ
４２４  加湿ロータ
４２６  除湿ユニット
４２８  モータ
４３０  気化フィルタ
【先行技術文献】
【特許文献】
【０１１７】
【特許文献１】特開２００４−２８５２９号公報
【図１】
2015175552.tif 000003
【図２】
2015175552.tif 000004
【図３】
2015175552.tif 000005
【図４】
2015175552.tif 000006
【図５】
2015175552.tif 000007
【図６】
2015175552.tif 000008
【図７】
2015175552.tif 000009
【図８】
2015175552.tif 000010
【図９】
2015175552.tif 000011
【図１０】
2015175552.tif 000012